(57)【要約】【課題】基礎ブロックの大きさを小さくしつつ、高い耐震クラスを維持することができる蓄電システムを提供する。【解決手段】蓄電システム３１は、蓄電池３２と、蓄電池３２を収容する筐体３３と、筐体３３を支持する一対の支持体１１ａ、１１ｂと、を備える。一対の支持体１１ａ、１１ｂは、一対の支持体１１ａ、１１ｂのそれぞれに含まれる第三の平板部同士が向かい合うように配置される。一対の支持体１１ａ、１１ｂのそれぞれは、一方の支持体１１ａ、１１ｂから見て、第一の平板部の第三の平板部に接続される領域よりも他方の支持体１１ｂ、１１ａに近い第一の領域において、第一の締結部材３４により筐体３３に締結され、第二の平板部の第三の平板部に接続される領域よりも他方の支持体１１ｂ、１１ａから遠い第二の領域において、第二の締結部材３７によって基礎ブロック３６に締結される。【選択図】図８
2019207847.tif 000002
【特許請求の範囲】
【請求項１】
コンクリート製の基礎ブロック上に固定される蓄電システムであって、
蓄電池と、
前記蓄電池を収容する筐体と、
前記筐体を支持する一対の支持体と、
前記筐体と前記一対の支持体とを締結する第一の締結部材と、
前記基礎ブロックと前記一対の支持体とを締結する第二の締結部材と、を備え、
前記一対の支持体はそれぞれ、
前記筐体に接触する第一の平板部と、
前記第一の平板部と離隔して前記第一の平板部と平行に配置され、前記基礎ブロックに接触する第二の平板部と、
前記第一の平板部および前記第二の平板部のそれぞれの端部から離れた位置で前記第一の平板部と前記第二の平板部とを接続する第三の平板部と、を含み、
前記一対の支持体は、前記一対の支持体のそれぞれに含まれる前記第三の平板部同士が向かい合うように配置され、
前記一対の支持体のそれぞれは、一方の前記支持体から見て、前記第一の平板部の前記第三の平板部に接続される領域よりも他方の前記支持体に近い第一の領域において、前記第一の締結部材により前記筐体に締結され、前記第二の平板部の前記第三の平板部に接続される領域よりも他方の前記支持体から遠い第二の領域において、前記第二の締結部材によって前記基礎ブロックに締結される、蓄電システム。
【請求項２】
前記蓄電システムを前記基礎ブロック上に固定した状態において、前記筐体の水平面への投影像内に、前記一対の支持体の前記水平面への投影像が収まる、請求項１に記載の蓄電システム。
【請求項３】
前記第一の締結部材は、ボルトを含み、
前記第一の領域には、前記第一の平板部の板厚方向に貫通し、前記ボルトが挿通可能な第一の貫通孔が形成されている、請求項１または請求項２に記載の蓄電システム。
【請求項４】
前記筐体は、前記第一の平板部に接触する平板状の接触部を含む脚部を含み、
前記脚部には、前記第一の貫通孔に対応する領域を含むように切り欠きが形成されている、請求項３に記載の蓄電システム。
【請求項５】
前記第二の締結部材は、アンカーボルトを含み、
前記第二の領域には、前記第二の平板部の板厚方向に貫通し、前記アンカーボルトが挿通可能な第二の貫通孔が形成されている、請求項１から請求項４のいずれか１項に記載の蓄電システム。
【請求項６】
前記第二の貫通孔は、長孔状である、請求項５に記載の蓄電システム。
【請求項７】
前記一対の支持体はそれぞれ、鋼からなる、請求項１から請求項６のいずれか１項に記載の蓄電システム。
【請求項８】
蓄電池と、
前記蓄電池を収容する筐体と、
前記筐体を支持する一対の支持体と、
前記筐体と前記一対の支持体とを締結する第一の締結部材と、
前記基礎ブロックと前記一対の支持体とを締結する第二の締結部材と、を備え、
前記一対の支持体はそれぞれ、
前記筐体に接触する第一の平板部と、
前記第一の平板部と離隔して前記第一の平板部と平行に配置され、前記基礎ブロックに接触する第二の平板部と、
前記第一の平板部および前記第二の平板部のそれぞれの端部から離れた位置で前記第一の平板部と前記第二の平板部とを接続する第三の平板部と、を含む蓄電システムをコンクリート製の基礎ブロック上に固定する蓄電システムの設置方法であって、
前記基礎ブロックの外縁に沿って前記一対の支持体のそれぞれに含まれる前記第三の平板部同士が向かい合うように前記一対の支持体を載置する工程と、
前記一対の支持体上に前記筐体を載置する工程と、
前記一対の支持体のそれぞれを、一方の前記支持体から見て、前記第一の平板部の前記第三の平板部に接続される領域よりも他方の前記支持体に近い第一の領域において、前記第一の締結部材により前記筐体に締結する工程と、
前記一対の支持体のそれぞれを、前記第一の平板部の前記第三の平板部に接続される領域よりも他方の前記支持体から遠い第二の領域において、前記第二の締結部材によって前記基礎ブロックに締結する工程と、を備える、蓄電システムの設置方法。
【発明の詳細な説明】
【技術分野】
【０００１】
本発明は、蓄電システムおよび蓄電システムの設置方法に関するものである。
【背景技術】
【０００２】
蓄電池を備える蓄電装置は昨今、住宅や一般家庭に設置され、利用されている。特許文献１には、屋外において建築物の外壁の壁際に設置された蓄電装置が開示されている。
【先行技術文献】
【特許文献】
【０００３】
【特許文献１】特開２００９−２４８９７６号公報
【発明の概要】
【発明が解決しようとする課題】
【０００４】
特許文献１では、蓄電装置はアンカーボルトを介して基礎に対して固定されている。ここで、蓄電池を備える蓄電システムにおいては、蓄電池を収容する筐体の固定の方式として、コンクリートからなる平面の基礎上にアンカーボルトを用いて固定する方式と、アンカーボルトを用いた固定が困難である場合に、コンクリートからなる基礎ブロック上にボルトを用いて固定する方式とがある。
【０００５】
例えば、集合住宅のベランダに蓄電装置が設置される場合がある。このような場合、基礎ブロックの大きさをできるだけ小さくすることが望まれる。
【０００６】
そこで、基礎ブロックの大きさを小さくしつつ、高い耐震クラスを維持することができる蓄電システムおよび蓄電システムの設置方法を提供することを目的の１つとする。
【課題を解決するための手段】
【０００７】
本発明に従った蓄電システムは、コンクリート製の基礎ブロック上に固定される蓄電システムである。蓄電システムは、蓄電池と、蓄電池を収容する筐体と、筐体を支持する一対の支持体と、筐体と一対の支持体とを締結する第一の締結部材と、基礎ブロックと一対の支持体とを締結する第二の締結部材と、を備える。一対の支持体はそれぞれ、筐体に接触する第一の平板部と、第一の平板部と離隔して第一の平板部と平行に配置され、基礎ブロックに接触する第二の平板部と、第一の平板部および第二の平板部のそれぞれの端部から離れた位置で第一の平板部と第二の平板部とを接続する第三の平板部と、を含む。一対の支持体は、一対の支持体のそれぞれに含まれる第三の平板部同士が向かい合うように配置される。一対の支持体のそれぞれは、一方の支持体から見て、第一の平板部の第三の平板部に接続される領域よりも他方の支持体に近い第一の領域において、第一の締結部材により筐体に締結され、第二の平板部の第三の平板部に接続される領域よりも他方の支持体から遠い第二の領域において、第二の締結部材によって基礎ブロックに締結される。
【発明の効果】
【０００８】
上記蓄電システムによれば、基礎ブロックの大きさを小さくしつつ、高い耐震クラスを維持することができる。
【図面の簡単な説明】
【０００９】
【図１】実施の形態１に係る蓄電システムに備えられる一対の支持体のうちの一方の支持体である第一の支持体の外観斜視図である。
【図２】図１に示す第一の支持体の正面図である。
【図３】図１に示す第一の支持体の背面図である。
【図４】図１に示す第一の支持体の右側面図である。
【図５】図１に示す第一の支持体の左側面図である。
【図６】図１に示す第一の支持体の平面図である。
【図７】図１に示す第一の支持体の底面図である。
【図８】実施の形態１に係る蓄電システムの外観斜視図である。
【図９】実施の形態１に係る蓄電システムの外観斜視図である。
【図１０】実施の形態１に係る蓄電システムの正面図である。
【図１１】実施の形態１に係る蓄電システムの背面図である。
【図１２】実施の形態１に係る蓄電システムの右側面図である。
【図１３】実施の形態１に係る蓄電システムの左側面図である。
【図１４】実施の形態１に係る蓄電システムの平面図である。
【図１５】実施の形態１に係る蓄電システムの底面図である。
【図１６】脚部の一部を示す拡大図である。
【図１７】実施の形態１に係る蓄電システムの設置方法の代表的な工程を示すフローチャートである。
【図１８】実施の形態２に係る第一の支持体の一部を示す図である。
【発明を実施するための形態】
【００１０】
［本願発明の実施形態の説明］
最初に本願の実施態様を列記して説明する。本願に係る蓄電システムは、コンクリート製の基礎ブロック上に固定される蓄電システムである。蓄電システムは、蓄電池と、蓄電池を収容する筐体と、筐体を支持する一対の支持体と、筐体と一対の支持体とを締結する第一の締結部材と、基礎ブロックと一対の支持体とを締結する第二の締結部材と、を備える。一対の支持体はそれぞれ、筐体に接触する第一の平板部と、第一の平板部と離隔して第一の平板部と平行に配置され、基礎ブロックに接触する第二の平板部と、第一の平板部および第二の平板部のそれぞれの端部から離れた位置で第一の平板部と第二の平板部とを接続する第三の平板部と、を含む。一対の支持体は、一対の支持体のそれぞれに含まれる第三の平板部同士が向かい合うように配置される。一対の支持体のそれぞれは、一方の支持体から見て、第一の平板部の第三の平板部に接続される領域よりも他方の支持体に近い第一の領域において、第一の締結部材により筐体に締結され、第二の平板部の第三の平板部に接続される領域よりも他方の支持体から遠い第二の領域において、第二の締結部材によって基礎ブロックに締結される。
【００１１】
本願の蓄電システムにおいて、一対の支持体のそれぞれは、一方の支持体から見て、第三の平板部よりも他方の支持体が位置する側と反対側である第二の領域で基礎ブロックに取り付けられる。よって、コンクリート製の基礎ブロックの外縁と第二の締結部材を締結する箇所とを離すことができ、基礎ブロックに第二の締結部材を締結する際に、基礎ブロックの外縁の欠けや割れが生じるおそれを低減して固定することができる。また、一対の支持体のそれぞれは、一方の支持体から見て、第一の平板部の第三の平板部に接続される領域よりも他方の支持体に近い領域において、第一の締結部材により筐体に締結される。よって、筐体と一対の支持体との取り付け位置をできるだけ離すことができる。これにより、一対の支持体によって支持される箇所をできるだけ離して、揺れや振動に対して筺体を安定して支持することができる。その結果、上記蓄電システムでは、基礎ブロックを小さくしつつ、高い耐震クラスを維持することができる。
【００１２】
上記蓄電システムにおいて、蓄電システムを基礎ブロック上に固定した状態において、筐体の水平面への投影像内に、一対の支持体の水平面への投影像が収まるようにしてもよい。このようにすることにより、一対の支持体が筐体からはみ出す部分をなくすことができる。
【００１３】
上記蓄電システムにおいて、第一の締結部材は、ボルトを含み、第一の領域には、第一の平板部の板厚方向に貫通し、ボルトが挿通可能な第一の貫通孔が形成されていてもよい。このようにすることにより、ボルトを用いて筐体と支持体とを締結する際に、第一の貫通孔を利用して適切に筐体と支持体とを締結することができる。
【００１４】
上記蓄電システムにおいて、筐体は、第一の平板部に接触する平板状の接触部を含む脚部を含み、脚部には、第一の貫通孔に対応する領域を含むように切り欠きが形成されていてもよい。このようにすることにより、ボルトを一対の脚部に形成された切り欠きに嵌め込むことができ、第一の締結部材による締結をより容易に行うことができる。
【００１５】
上記蓄電システムにおいて、第二の締結部材は、アンカーボルトを含み、第二の領域には、第二の平板部の板厚方向に貫通し、アンカーボルトが挿通可能な第二の貫通孔が形成されていてもよい。このようにすることにより、アンカーボルトにより基礎ブロックに一対の支持体を締結する際に、第二の貫通孔を利用して適切に一対の支持体を基礎ブロックに締結することができる。
【００１６】
上記蓄電システムにおいて、第二の貫通孔は、長孔状であってもよい。このようにすることにより、アンカーボルトの位置が多少ずれていても、締結時において位置のずれを調整することが容易となる。
【００１７】
上記蓄電システムにおいて、一対の支持体はそれぞれ、鋼からなってもよい。このような材質は剛性が高く安価に製造できるため、蓄電システムに備えられる支持体として、好適である。
【００１８】
本願に係る蓄電システムの設置方法は、蓄電池と、蓄電池を収容する筐体と、筐体を支持する一対の支持体と、筐体と一対の支持体とを締結する第一の締結部材と、基礎ブロックと一対の支持体とを締結する第二の締結部材と、を備え、一対の支持体はそれぞれ、筐体に接触する第一の平板部と、第一の平板部と離隔して第一の平板部と平行に配置され、基礎ブロックに接触する第二の平板部と、第一の平板部および第二の平板部のそれぞれの端部から離れた位置で第一の平板部と第二の平板部とを接続する第三の平板部と、を含む蓄電システムをコンクリート製の基礎ブロック上に固定する蓄電システムの設置方法である。蓄電システムの設置方法は、基礎ブロックの外縁に沿って一対の支持体のそれぞれに含まれる第三の平板部同士が向かい合うように一対の支持体を載置する工程と、一対の支持体上に筐体を載置する工程と、一対の支持体のそれぞれを、一方の支持体から見て、第一の平板部の第三の平板部に接続される領域よりも他方の支持体に近い第一の領域において、第一の締結部材により筐体に締結する工程と、一対の支持体のそれぞれを、第一の平板部の第三の平板部に接続される領域よりも他方の支持体から遠い第二の領域において、第二の締結部材によって基礎ブロックに締結する工程と、を備える。
【００１９】
このような蓄電システムの設置方法によると、基礎ブロックの外縁に沿って適切に蓄電システムを設置することができる。したがって、基礎ブロックを筐体のフットプリント内に収めながら、高い耐震クラスを維持することができる。
【００２０】
［本願発明の実施形態の詳細］
次に、本願の蓄電システムの一実施形態を、図面を参照しつつ説明する。以下の図面において同一または相当する部分には同一の参照符号を付しその説明は繰り返さない。
【００２１】
（実施の形態１）
本願の実施の形態１に係る蓄電システムの構成について説明する。図１は、実施の形態１に係る蓄電システムに備えられる一対の支持体のうちの一方の支持体である第一の支持体１１ａの外観斜視図である。図２は、図１に示す第一の支持体の正面図である。図３は、図１に示す第一の支持体の背面図である。図４は、図１に示す第一の支持体の右側面図である。図５は、図１に示す第一の支持体の左側面図である。図６は、図１に示す第一の支持体の平面図である。図７は、図１に示す第一の支持体の底面図である。
【００２２】
図１から図７を参照して、実施の形態１に係る蓄電システムに備えられる第一の支持体１１ａは、第一の平板部１２ａと、第二の平板部１３ａと、第三の平板部１４ａとを含む。第一の平板部１２ａの外形形状は、第一の平板部１２ａの板厚方向から平面的に見た場合に（特に図６参照）、Ｙ方向が長くＸ方向が短い長方形形状であって、四つの角部に面取りが施された形状である。第二の平板部１３ａの外形形状についても、同様である。第二の平板部１３ａは、第一の平板部１２ａと離隔して第一の平板部１２ａと平行に配置される。なお、第一の支持体１１ａにおいて、面取りを施されていなくともよく、面取りは、第一の平板部１２ａの板厚方向から見た場合に、円弧状であってもよい。第一の支持体１１ａは、後述する蓄電池３２を収容する筐体３３をコンクリート製の基礎ブロック３６上に固定する際に、一対で使用される。第一の支持体１１ａは、筐体３３および基礎ブロック３６に着脱可能である。
【００２３】
第三の平板部１４ａは、第三の平板部１４ａの板厚方向から平面的に見た場合に（特に図４参照）、長方形形状である。第三の平板部１４ａは、第一の平板部１２ａと第二の平板部１３ｂとを接続する。第三の平板部１４ａは、第一の平板部１２ａの端部１５ａ、１６ａおよび第二の平板部１３ａの端部１７ａ、１８ａから離れた位置で第一の平板部１２ａと第二の平板部１３ｂとを接続する。この場合、端部１５ａ、１６ａ間のＸ方向の中央の位置および端部１７ａ、１８ａ間のＸ方向の中央の位置で接続される。なお、第一の平板部１２ａにおいて、第三の平板部１４ａが接続されていない側の面２７ａは、平面である。また、第二の平板部１３ａにおいて、第三の平板部１４ａが接続されていない側の面２８ａは、平面である。
【００２４】
第一の平板部１２ａには、第三の平板部１４ａに接続される領域よりも一方の端部１５ａが位置する第一の領域２１ａにおいて、板厚方向に貫通する第一の貫通孔２２ａ、２３ａが形成されている。第一の貫通孔２２ａ、２３ａは、Ｘ方向の位置をそろえて、Ｙ方向に間隔をあけて形成されている。第一の貫通孔２２ａ、２３ａは、それぞれ丸孔状である。
【００２５】
第二の平板部１３ａには、第三の平板部１４ａに接続される領域よりも一方の端部１８ａが位置する第二の領域２４ａにおいて、板厚方向に貫通する第二の貫通孔２５ａ、２６ａが形成されている。第二の貫通孔２５ａ、２６ａは、Ｘ方向の位置をそろえて、Ｙ方向に間隔をあけて形成されている。第二の貫通孔２５ａが形成されるＹ方向の位置は、第一の貫通孔２２ａが形成されるＹ方向の位置とそろえられている。第二の貫通孔２６ａが形成されるＹ方向の位置は、第一の貫通孔２３ａが形成されるＹ方向の位置とそろえられている。第二の貫通孔２５ａ、２６ａは、それぞれ丸孔状である。
【００２６】
第一の支持体１１ａは、鋼からなる。このような材質は剛性が高く安価に製造できるため、蓄電システム３１に備えられる支持体として、好適である。第一の支持体１１ａは、例えば、面取りを施したいわゆるＨ鋼に対して、第一の領域２１ａにおいて第一の貫通孔２２ａ、２３ａを形成し、第二の領域２４ａにおいて第二の貫通孔２５ａ、２６ａを形成したものである。Ｈ鋼としては、例えば、耐荷重が２４ｔのものが採用される。
【００２７】
なお、蓄電システム３１に備えられる一対の支持体１１ａ、１１ｂのうちの他方の支持体である第二の支持体１１ｂの構成については、第一の支持体１１ａと同様であるため、説明を省略する。このような構成の一対の支持体１１ａ、１１ｂは、蓄電池３２を収容した筐体３３をコンクリート製の基礎ブロック３６上に設置し、固定する際に有効に利用される。
【００２８】
次に実施の形態１に係る蓄電システムの構成について説明する。図８および図９は、実施の形態１に係る蓄電システムの外観斜視図である。図１０は、実施の形態１に係る蓄電システムの正面図である。図１１は、実施の形態１に係る蓄電システムの背面図である。図１２は、実施の形態１に係る蓄電システムの平面図である。図１３は、実施の形態１に係る蓄電システムの底面図である。図１４は、実施の形態１に係る蓄電システムの右側面図である。図１５は、実施の形態１に係る蓄電システムの左側面図である。各図において、Ｘ方向は、後述する第二の外表面に垂直な方向であり、Ｙ方向は、後述する第一の外表面に垂直な方向であり、Ｚ方向は、後述する底面に垂直な方向である。図８において、蓄電池３２を概念的に破線で示している。
【００２９】
図８〜図１５を参照して、実施の形態１に係る蓄電システム３１は、蓄電池３２と、蓄電池３２を収容する筐体３３と、を備える。蓄電池３２は、系統電力や、太陽光により発電した電力、燃料電池により発電した電力等を充電する。また、蓄電池３２は、系統電力システムや蓄電システム３１自体に接続されている負荷へ給電する。蓄電池３２には、外部との電力の供給等のための図示しない配線等が接続されている。蓄電池３２は、例えば、リチウムイオン電池から構成されている。蓄電システム３１は、蓄電池３２が筐体３３内に収容されている構成であり、主に屋外に設置されて使用される。
【００３０】
筐体３３の外形形状は、直方体形状を有する。ここで、直方体形状を有するとは、幾何学的に厳密に直方体形状であることを意味するのではなく、直方体形状を構成する外表面に多少の凹凸が形成されていたり、外表面に穴が形成されていたり、角部が欠落していたり、角部に面取りが形成されていたり、面と面との平行状態が厳密に確保されていない形状を含めるものとする。
【００３１】
筐体３３は、中空である。筐体３３は、例えば、６枚の板状部材を組み合わせて形成される。筐体３３の中空の空間に、蓄電池３２が収容される。筐体３３は、第一の外表面４１と、第二の外表面４２と、第三の外表面４３と、第四の外表面４４と、頂面４５と、底面４６とを含む。第一の外表面４１は、筐体３３が所定の箇所に設置された際に、筐体３３の正面に相当し、第四の外表面４４は、筐体３３の背面に相当する。第一の外表面４１を正面として見た場合に、第二の外表面４２は、右側面に相当し、第三の外表面４３は、左側面に相当する。第二の外表面４２および第三の外表面４３は、互いに平行であり、それぞれ第一の外表面４１と直交する。なお、第一の外表面４１と第四の外表面４４とも、互いに平行である。また、第二の外表面４２および第三の外表面４３はそれぞれ、第四の外表面４４とも直交する。頂面４５および底面４６もそれぞれ、第一の外表面４１および第四の外表面４４のそれぞれと直交する。頂面４５と底面４６とも、互いに平行である。第一の外表面４１の底面４６側の一部および第二の外表面４２の一部には、筐体３３内と外部とを通風する空冷用の開口が形成されている。
【００３２】
筐体３３は、底面４６から底面４６に垂直な方向に延びる一対の脚部４７、４８を含む。脚部４７は、第二の外表面４２寄りに配置され、脚部４８は、第三の外表面４３寄りに配置される。図１６は、脚部４７の一部を示す拡大図である。併せて図１６を参照して、脚部４７は、第一の平板部１２ａに接触する平板状の接触部３９を含む。脚部４７には、第一の貫通孔２２ａに対応する領域を含むように切り欠き３８が形成されている。脚部４７には、第一の貫通孔２３ａに対応する領域を含むように切り欠きが形成されている。脚部４８は、脚部４７と同様の構成であるため、その説明を省略する。
【００３３】
ここで、蓄電システム３１は、筐体３３を支持する一対の支持体１１ａ、１１ｂと、筐体３３と一対の支持体１１ａ、１１ｂとを締結する第一の締結部材としてのボルト３４およびナット３５と、基礎ブロック３６と一対の支持体１１ａ、１１ｂとを締結する第二の締結部材としてのアンカーボルト３７とを備える。蓄電システム３１は、例えば、屋外に据え付けられたコンクリート製の基礎ブロック３６上に固定され、使用される。
【００３４】
一対の支持体１１ａ、１１ｂは、平行に配置される。具体的には、一対の支持体１１ａ、１１ｂに含まれるそれぞれの第三の平板部１４ａ同士が平行なるように配置される。ボルト３４は、第一の貫通孔２２ａ、２３ａに挿通される。複数のボルト３４のうち、一つのボルト３４にナット３５が取り付けられる。アンカーボルト３７は、第二の貫通孔２５ａ、２６ａに挿通され、基礎ブロック３６に取り付けられる。蓄電システム３１を基礎ブロック３６上に固定した状態において、筐体３３の水平面への投影像内に、一対の支持体１１ａ、１１ｂの水平面への投影像が収まる（特に図１４および図１５参照）。水平面への投影像は、例えば、図１４によって示される。
【００３５】
次に、蓄電システム３１の設置方法について説明する。図１７は、実施の形態１に係る蓄電システム３１の設置方法の代表的な工程を示すフローチャートである。併せて図１７を参照して、まず、基礎ブロック３６の外縁に沿って一対の支持体１１ａ、１１ｂのそれぞれに含まれる第三の平板部１４ａ、１４ｂ同士が向かい合うように一対の支持体１１ａ、１１ｂを載置する（図１７において、ステップＳ１１。以下、「ステップ」を省略する。）。この時、一方の支持体１１ａに含まれる端部１７ａのＸ方向の位置と基礎ブロック３６の一方の外縁のＸ方向の位置とが一致するよう載置する。他方の支持体１１ｂに含まれる端部１７ａのＸ方向の位置と基礎ブロック３６の他方の外縁のＸ方向の位置とが一致するよう載置する。また、第二の貫通孔２５ａ、２６ａが形成された第二の領域２４ａ同士が向かい合うように載置する。
【００３６】
次に、一対の支持体１１ａ、１１ｂ上に筐体３３を載置する（Ｓ１２）。この場合、具体的には、筐体３３に含まれる一対の脚部４７、４８の接触部３９を、第一の平板部１２ａ、１２ｂのうちの面２７ａ（特に図１参照）に接触させるようにして載置する。
【００３７】
次に、一対の支持体１１ａ、１１ｂのそれぞれを、一方の支持体１１ａ、１１ｂから見て、第一の平板部１２ａの第三の平板部１４ａに接続される領域よりも他方の支持体１１ｂ、１１ａに近い第一の領域２１ａにおいて、ボルト３４およびナット３５により筐体３３に締結する（Ｓ１３）。
【００３８】
その後、一対の支持体１１ａ、１１ｂのそれぞれを、第二の平板部１３ａの第三の平板部１４ａに接続される領域よりも他方の支持体１１ａ、１１ｂから遠い第二の領域２４ａにおいて、アンカーボルト３７によって基礎ブロック３６に締結する（Ｓ１４）。
【００３９】
実施の形態１に係る蓄電システム３１において、一対の支持体１１ａ、１１ｂのそれぞれは、一方の支持体１１ａ、１１ｂから見て、第三の平板部１４ａよりも他方の支持体１１ｂ、１１ａが位置する側と反対側である第二の領域２４ａで基礎ブロック３６に取り付けられる。よって、コンクリート製の基礎ブロック３６の外縁とアンカーボルト３７を締結する箇所とを離すことができ、基礎ブロック３６にアンカーボルト３７を締結する際に、基礎ブロック３６の外縁の欠けや割れが生じるおそれを低減して固定することができる。また、一対の支持体１１ａ、１１ｂのそれぞれは、一方の支持体１１ａ、１１ｂから見て、第一の平板部１２ａの第三の平板部１４ａに接続される領域よりも他方の支持体１１ｂ、１１ａに近い領域において、ボルト３４およびナット３５により筐体３３に締結される。よって、筐体３３と一対の支持体１１ａ、１１ｂとの取り付け位置をできるだけ離すことができる。この場合、Ｘ方向の取り付け位置をできるだけ離すことができる。これにより、一対の支持体１１ａ、１１ｂによって支持される箇所をできるだけ離して、揺れや振動に対して筐体３３を安定して支持することができる。その結果、上記蓄電システム３１では、基礎ブロック３６を小さくしつつ、高い耐震クラス、例えば、耐震クラスＡ以上を維持することができる。すなわち、高い耐震クラスの蓄電システム３１を構築しながら、蓄電システム３１の設置面積をできるだけ小さくすることができる。
【００４０】
上記蓄電システムにおいて、蓄電システム３１を基礎ブロック３６上に固定した状態において、筐体３３の水平面への投影像内に、一対の支持体１１ａ、１１ｂの水平面への投影像が収まるため、一対の支持体１１ａ、１１ｂが筐体３３からはみ出す部分をなくすことができる。
【００４１】
上記蓄電システム３１において、第一の締結部材は、ボルト３４を含み、第一の領域には、第一の平板部１２ａの板厚方向に貫通し、ボルト３４が挿通可能な第一の貫通孔２２ａ、２２ｂが形成されているため、ボルト３４を用いて筐体３３と支持体１１ａ、１１ｂとを締結する際に、第一の貫通孔２２ａ、２２ｂを利用して適切に筐体３３と支持体１１ａ、１１ｂとを締結することができる。
【００４２】
上記蓄電システム３１において、筐体３３は、第一の平板部１２ａに接触する平板状の接触部３９を含む脚部４７、４８を含み、脚部４７、４８には、第一の貫通孔２２ａ、２２ｂに対応する領域を含むように切り欠き３９が形成されているため、ボルト３４を一対の脚部４７、４８に形成された切り欠き３９に嵌め込むことができ、ボルト３４およびナット３５による締結をより容易に行うことができる。
【００４３】
上記蓄電システム３１において、第二の締結部材は、アンカーボルト３７を含み、第二の領域２４ａには、第二の平板部１３ａの板厚方向に貫通し、アンカーボルト３７が挿通可能な第二の貫通孔２５ａ、２６ａが形成されているため、アンカーボルト３７により基礎ブロック３６に一対の支持体１１ａ、１１ｂを締結する際に、第二の貫通孔２５ａ、２５ｂを利用して適切に一対の支持体１１ａ、１１ｂを基礎ブロック３６に締結することができる。
【００４４】
また、このような蓄電システム３１の設置方法によると、基礎ブロック３６の外縁に沿って適切に蓄電システム３１を設置することができる。したがって、基礎ブロック３６を筐体３３のフットプリント内に収めながら、高い耐震クラスを維持することができる。
【００４５】
（実施の形態２）
本願の実施の形態２に係る蓄電システム３１の構成について説明する。図１８は、実施の形態２における蓄電システム３１に備えられる第一の支持体１１ａの一部を示す図である。
【００４６】
実施の形態２の蓄電システム３１は、基本的には実施の形態１の場合と同様の構造を有し、同様の効果を奏する。しかし、実施の形態２における蓄電システム３１は、以下の点において実施の形態１の場合とは異なっている。
【００４７】
図１８を参照して、実施の形態２の蓄電システムは、実施の形態１の場合と同様に、蓄電池と、筐体と、第一の支持体と、第二の支持体と、を備える。第一の支持体１１ａに形成される第二の貫通孔２５ａは、長孔状である。第二の貫通孔２５ａは、第一の支持体１１ａの長手方向に沿って延びている。このようにすることにより、アンカーボルト３７の位置が多少ずれていても、締結時において位置のずれを調整することが容易となる。なお、長孔の延びる方向は、図１８に示す場合に対して、垂直な方向であってもよい。
【００４８】
（他の実施の形態）
【００４９】
上記蓄電システム３１の設置方法において、支持体１１ａ、１１ｂと筐体３３とを締結した後に、支持体１１ａ、１１ｂと基礎ブロック３６とを締結することとしたが、これに限らず、順序を入れ替えてもよい。すなわち、支持体１１ａ、１１ｂと基礎ブロック３６とを締結した後に、支持体１１ａ、１１ｂと筐体３３とを締結してもよい。
【００５０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５１】
本願の蓄電システムおよび蓄電システムの設置方法は、基礎ブロックの大きさを小さくしつつ、高い耐震クラスの維持が求められる場合に特に有利に適用され得る。
【符号の説明】
【００５２】
１１ａ，１１ｂ  支持体
１２  第一の平板部
１３  第二の平板部
１４  第三の平板部
１５ａ，１６ａ，１７ａ，１８ａ  端部
２１ａ  第一の領域
２２ａ，２３ａ  第一の貫通孔
２４ａ  第二の領域
２５ａ，２６ａ  第二の貫通孔
２７ａ，２８ａ  面
３１  蓄電システム
３２  蓄電器
３３  筐体
３４  ボルト
３５  ナット
３６  基礎ブロック
３７  アンカーボルト
４１  第一の外表面
４２  第二の外表面
４３  第三の外表面
４４  第四の外表面
４５  頂面
４６  底面
【図１】
2019207847.tif 000003
【図２】
2019207847.tif 000004
【図３】
2019207847.tif 000005
【図４】
2019207847.tif 000006
【図５】
2019207847.tif 000007
【図６】
2019207847.tif 000008
【図７】
2019207847.tif 000009
【図８】
2019207847.tif 000010
【図９】
2019207847.tif 000011
【図１０】
2019207847.tif 000012
【図１１】
2019207847.tif 000013
【図１２】
2019207847.tif 000014
【図１３】
2019207847.tif 000015
【図１４】
2019207847.tif 000016
【図１５】
2019207847.tif 000017
【図１６】
2019207847.tif 000018
【図１７】
2019207847.tif 000019
【図１８】
2019207847.tif 000020